【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
デュアル出口送風機を含む呼吸システムであって、前記送風機の第１の出口及び第２の出口の１つは、鼻インターフェイスの空気的に分離した鼻出口の対の１つにガス流を供給し、且つ前記第１の出口及び前記第２の出口の他の１つは、前記鼻インターフェイスの前記鼻出口の対の他の１つにガス流を供給するか、又は前記第１の出口及び前記第２の出口の１つは、口鼻インターフェイスの鼻出口にガス流を供給し、且つ前記第１の出口及び前記第２の出口の他の１つは、前記口鼻インターフェイスの口出口にガス流を供給する、呼吸システム。
【請求項２】
前記送風機は、
インペラと、
インペラチャンバであって、その中で前記インペラが回転するインペラチャンバと、前記第１の出口と、前記第２の出口とを含むハウジングと
を含み、
前記第１の出口は、前記インペラが第１の回転方向に回転すると、前記ハウジングからガス流を案内するように構成されており、且つ前記第２の出口は、前記インペラが反対の第２の回転方向に回転すると、前記ハウジングからガス流を案内するように構成されている、請求項１に記載の呼吸システム。
【請求項３】
前記送風機は、
インペラと、
インペラチャンバであって、その中で前記インペラが回転するインペラチャンバを含むハウジングと
を含み、
前記第１の回転方向における前記インペラの回転では、前記第１の出口からのガス流は、前記第２の出口からのガス流よりも大きく、及び
前記第２の回転方向における前記インペラの回転では、前記第２の出口からのガス流は、前記第１の出口からのガス流よりも大きい、請求項１に記載の呼吸システム。
【請求項４】
第１の回転方向における前記インペラの回転は、前記第１の出口からの第１のガス流及び前記第２の出口からの第２のガス流を発生させ、且つ
反対の第２の回転方向における前記インペラの回転は、前記第２の出口からの前記第１のガス流又は第３のガス流及び前記第１の出口からの前記第２のガス流又は第４のガス流を発生させ、及び
前記第１のガス流の流量は、前記第２のガス流の流量よりも大きく、且つ前記第３のガス流の流量は、前記第４のガス流の流量よりも大きい、請求項２又は３に記載の呼吸システム。
【請求項５】
前記送風機は、前記インペラの回転を駆動するためのモータを含み、及び前記ハウジングは、前記インペラチャンバと、前記ハウジング内の前記モータを支持するためのモータチャンバとを含む、請求項２〜４のいずれか一項に記載の呼吸システム。
【請求項６】
前記送風機は、第１のインペラと、第２のインペラとを含み、及び前記ハウジングは、第１のインペラチャンバであって、その中で前記第１のインペラが回転する第１のインペラチャンバと、第２のインペラチャンバであって、その中で前記第２のインペラが回転する第２のインペラチャンバとを含み、
前記第１のインペラと前記第２のインペラとは、共に回転するように回転自在に結合されており、前記第１のインペラは、前記第１のインペラと前記第２のインペラとが前記第１の回転方向に回転すると、前記第１の出口からガス流を発生させるためのものであり、且つ前記第２のインペラは、前記第１のインペラと前記第２のインペラとが前記第２の回転方向に回転すると、前記第２の出口からガス流を発生させるためのものである、請求項２〜５のいずれか一項に記載の呼吸システム。
【請求項７】
前記送風機は、前記第１のインペラ及び前記第２のインペラの回転を駆動するためのモータを含み、前記モータは、ロータと、ステータとを含み、前記第１のインペラと前記第２のインペラとは、前記ロータに回転自在に結合されている、請求項６に記載の呼吸システム。
【請求項８】
前記ロータは、前記第１のインペラと前記第２のインペラとの間に軸方向に配置されており、
前記ハウジングは、前記第１のインペラチャンバと前記第２のインペラチャンバとの間に軸方向に位置する前記モータのためのモータチャンバを含む、請求項７に記載の呼吸システム。
【請求項９】
前記インペラは、遠心インペラであり、任意的に前記ハウジングは、前記インペラチャンバからのガス流を受け入れる渦巻きチャンバを含む、請求項２〜８のいずれか一項に記載の呼吸システム。
【請求項１０】
前記第１の出口は、前記ハウジングから、前記インペラの第１の回転方向に対して実質的に接線方向に延び、且つ前記第２の出口は、前記ハウジングから、前記インペラの反対の第２の回転方向に対して実質的に接線方向に延びる、請求項１〜９のいずれか一項に記載の呼吸システム。
【請求項１１】
前記送風機は、
インペラと、
インペラチャンバであって、その中で前記インペラが回転するインペラチャンバと、前記第１の出口と、前記第２の出口とを含むハウジングと
を含み、
第１の回転方向における前記インペラの回転は、前記第１の出口からの第１のガス流及び前記第２の出口からの第２のガス流を発生させ、且つ
反対の第２の回転方向における前記インペラの回転は、前記第２の出口からの前記第１のガス流又は第３のガス流及び前記第１の出口からの前記第２のガス流又は第４のガス流を発生させ、及び
前記第１のガス流の流量は、前記第２のガス流の流量よりも大きく、且つ前記第３のガス流の流量は、前記第４のガス流の流量よりも大きい、請求項１に記載の呼吸システム。
【請求項１２】
前記鼻インターフェイスを含み、前記鼻インターフェイスは、ユーザの鼻孔の１つを通じて前記ユーザに呼吸ガス流を供給するための第１の鼻出口と、前記ユーザの鼻孔の他の１つを通じて前記ユーザに呼吸ガス流を供給するための第２の鼻出口とを含み、前記送風機の前記第１の出口は、前記鼻インターフェイスの前記第１の鼻出口と流体連通しており、且つ前記送風機の前記第２の出口は、前記鼻インターフェイスの前記第２の鼻出口と流体連通しており、
第１の回転方向における前記送風機のインペラの回転は、前記鼻インターフェイスの前記第１の鼻出口へのガス流を発生させ、且つ第２の回転方向における前記インペラの回転は、前記鼻インターフェイスの前記第２の鼻出口へのガス流を発生させる、請求項１〜１１のいずれか一項に記載の呼吸システム。
【請求項１３】
前記ユーザの前記鼻孔の１つの閉鎖を判定するためのセンシング機構と、前記インペラの前記回転方向を応答制御するためのコントローラとを含み、
前記ユーザの鼻孔の１つが少なくとも部分的に閉鎖されていることを前記センシング機構が検出する場合、前記センシング機構は、前記インペラを前記第１の回転方向及び前記第２の回転方向の１つに回転させて、前記ユーザの鼻孔の他の１つに対する流れを発生させ、この逆も同様である、請求項１２に記載の呼吸システム。
【請求項１４】
前記センシング機構は、前記ユーザの鼻孔に対する又は前記ユーザの鼻孔における圧力又は流れを検出して、前記ユーザの鼻孔の１つ又は他方が少なくとも部分的に閉鎖されているかどうかを判定するための圧力センサ又はフローセンサを含む、請求項１３に記載の呼吸システム。
【請求項１５】
前記センシング機構は、
前記ユーザの鼻孔の１つに対する又は前記ユーザの鼻孔の１つにおける圧力又は流れを検出して、前記ユーザの鼻孔の前記１つが少なくとも部分的に閉鎖されているかどうかを判定するための第１の圧力センサ又はフローセンサと、
前記ユーザの鼻孔の他の１つに対する又は前記ユーザの鼻孔の他の１つにおける圧力又は流れを検出して、前記ユーザの鼻孔の前記他の１つが少なくとも部分的に閉鎖されているかどうかを判定するための第２の圧力センサ又はフローセンサと
を含む、請求項１４に記載の呼吸システム。
【請求項１６】
ユーザの鼻孔の少なくとも１つを通じて前記ユーザに呼吸ガス流を供給するための前記鼻出口と、前記ユーザの口を通じて前記ユーザに呼吸ガス流を供給するための前記口出口とを含む前記口鼻インターフェイスを含み、
前記送風機ハウジングの前記第１の出口は、前記口鼻インターフェイスの前記鼻出口と流体連通しており、且つ前記送風機ハウジングの前記第２の出口は、前記口鼻インターフェイスの前記口出口と流体連通しており、
第１の回転方向における前記送風機のインペラの回転は、前記鼻出口へのガス流を発生させ、且つ第２の回転方向における前記インペラの回転は、前記口出口へのガス流を発生させる、請求項１〜１５のいずれか一項に記載の呼吸システム。